(57)【要約】【課題】読み取った見開き原稿の画像をページ毎の画像に分割する際の、各ページに含まれるべき情報の欠落を抑制する。【解決手段】取得部１１は、原稿の画像を取得する。生成部１２は、取得部１１により取得された画像の原稿が、隣り合うページを見開き状態にした原稿である場合、原稿の見開き方向の両端部における空白領域の広さに基づいて、原稿の画像からページ毎の画像を生成する。【選択図】図１
2020127106.tif 000002
【特許請求の範囲】
【請求項１】
原稿の画像を取得する取得部と、
前記原稿が、隣り合うページを見開き状態にした原稿である場合、前記原稿の見開き方向の両端部における空白領域の広さに基づいて、前記原稿の画像から前記ページ毎の画像を生成する生成部と
を有する画像処理装置。
【請求項２】
前記生成部は、前記原稿の画像の一部を抽出することにより前記ページ毎の画像を生成し、
前記ページ毎の画像を抽出する際の前記見開き方向における切出位置を、各ページが位置する側の空白領域の広さによって異ならせる
請求項１に記載の画像処理装置。
【請求項３】
前記生成部は、前記両端部における空白領域のうちの狭い方の空白領域の全てを含む画像を、前記ページ毎の画像の１つとして生成する
請求項１又は２に記載の画像処理装置。
【請求項４】
前記生成部は、前記両端部における空白領域のうちの広い方の空白領域の一部又は全部が含まれない画像を、当該広い方の空白領域が位置する側のページの画像として生成する
請求項１乃至３のいずれか１項に記載の画像処理装置。
【請求項５】
前記生成部は、前記空白領域の大きさが予め定められた閾値未満の場合、前記見開き方向において、当該空白領域が位置する側の原稿の画像の端部から当該原稿の読取サイズの半分までの領域を含む画像を生成する
請求項１乃至４のいずれか１項に記載の画像処理装置。
【請求項６】
前記生成部は、前記空白領域の大きさが予め定められた閾値以上の場合、前記見開き方向において当該空白領域が位置する側の原稿の画像の端部から予め定められた幅の領域を含まない画像を、当該空白領域が位置する側のページの画像として生成する
請求項１乃至５のいずれか１項に記載の画像処理装置。
【請求項７】
前記生成部は、前記両端部における全ての空白領域の広さが予め定められた閾値以上である場合、前記見開き方向において、前記両端部における予め定められた一方の端部から予め定められた幅の領域を含まない画像を、当該一方の端部が位置する側のページの画像として生成する
請求項１乃至６のいずれか１項に記載の画像処理装置。
【請求項８】
前記生成部は、前記両端部における全ての空白領域の広さが予め定められた閾値以上である場合、前記見開き方向において、前記両端部における予め定められた一方の端部から当該原稿の読取サイズの半分までの領域を含む画像を生成する
請求項１乃至７のいずれか１項に記載の画像処理装置。
【請求項９】
前記生成部は、前記隣り合うページの一方が空白のページである場合、非空白領域を全て含む領域の画像を生成するとともに、
前記見開き方向において前記空白のページが位置する側の端部から前記原稿の読取サイズの半分までの領域を含む画像を生成する
請求項１乃至８のいずれか１項に記載の画像処理装置。
【請求項１０】
前記生成部は、前記隣り合うページを見開き状態にした原稿が非定型サイズである場合、前記ページ毎の画像のうちの一方に、他方の一部の画像が含まれるように前記ページ毎の画像を生成する
請求項１乃至９のいずれか１項に記載の画像処理装置。
【請求項１１】
前記生成部は、ユーザ操作により入力される情報を用いて、前記原稿が隣り合うページを見開き状態にした原稿であるかを判定する
請求項１乃至１０のいずれか１項に記載の画像処理装置。
【請求項１２】
コンピュータに、
原稿の画像を取得するステップと、
前記原稿が、隣り合うページを見開き状態にした原稿である場合、前記原稿の見開き方向の両端部における空白領域の広さに基づいて、前記原稿の画像から前記ページ毎の画像を生成するステップと
を実行させるためのプログラム。
【発明の詳細な説明】
【技術分野】
【０００１】
本発明は、画像処理装置及びプログラムに関する。
【背景技術】
【０００２】
見開き原稿を読み取るための技術が提案されている。例えば特許文献１には、見開き原稿の読み取り画像の見栄えを良くするデータ処理の信頼性を高める技術として、見開き原稿を電気信号に変換し、画素の数が設定値以上である画像位置を、見開きページの境界線として判断することが記載されている。特許文献２には、画像中の原稿の綴じ位置を特定し、特定した綴じ位置で画像を分離し、分離された画像に対して、それぞれ独立した補正を施すことが記載されている。
【先行技術文献】
【特許文献】
【０００３】
【特許文献１】特開平１０−２５５０２４号公報
【特許文献２】特開２００５−２６９０９５号公報
【発明の概要】
【発明が解決しようとする課題】
【０００４】
本発明は、読み取った見開き原稿の画像をページ毎の画像に分割する際の、各ページに含まれるべき情報の欠落を抑制することを目的とする。
【課題を解決するための手段】
【０００５】
本発明の請求項１に係る画像処理装置は、原稿の画像を取得する取得部と、前記原稿が、隣り合うページを見開き状態にした原稿である場合、前記原稿の見開き方向の両端部における空白領域の広さに基づいて、前記原稿の画像から前記ページ毎の画像を生成する生成部とを有することを特徴とする。
【０００６】
本発明の請求項２に係る画像処理装置は、請求項１に記載の構成において、前記生成部は、前記原稿の画像の一部を抽出することにより前記ページ毎の画像を生成し、前記ページ毎の画像を抽出する際の前記見開き方向における切出位置を、各ページが位置する側の空白領域の広さによって異ならせることを特徴とする。
【０００７】
本発明の請求項３に係る画像処理装置は、請求項１又は２に記載の構成において、前記生成部は、前記両端部における空白領域のうちの狭い方の空白領域の全てを含む画像を、前記ページ毎の画像の１つとして生成することを特徴とする。
【０００８】
本発明の請求項４に係る画像処理装置は、請求項１乃至３のいずれか１項に記載の構成において、前記生成部は、前記両端部における空白領域のうちの広い方の空白領域の一部又は全部が含まれない画像を、当該広い方の空白領域が位置する側のページの画像として生成することを特徴とする。
【０００９】
本発明の請求項５に係る画像処理装置は、請求項１乃至４のいずれか１項に記載の構成において、前記生成部は、前記空白領域の大きさが予め定められた閾値未満の場合、前記見開き方向において、当該空白領域が位置する側の原稿の画像の端部から当該原稿の読取サイズの半分までの領域を含む画像を生成することを特徴とする。
【００１０】
本発明の請求項６に係る画像処理装置は、請求項１乃至５のいずれか１項に記載の構成において、前記生成部は、前記空白領域の大きさが予め定められた閾値以上の場合、前記見開き方向において当該空白領域が位置する側の原稿の画像の端部から予め定められた幅の領域を含まない画像を、当該空白領域が位置する側のページの画像として生成することを特徴とする。
【００１１】
本発明の請求項７に係る画像処理装置は、請求項１乃至６のいずれか１項に記載の構成において、前記生成部は、前記両端部における全ての空白領域の広さが予め定められた閾値以上である場合、前記見開き方向において、前記両端部における予め定められた一方の端部から予め定められた幅の領域を含まない画像を、当該一方の端部が位置する側のページの画像として生成することを特徴とする。
【００１２】
本発明の請求項８に係る画像処理装置は、請求項１乃至７のいずれか１項に記載の構成において、前記生成部は、前記両端部における全ての空白領域の広さが予め定められた閾値以上である場合、前記見開き方向において、前記両端部における予め定められた一方の端部から当該原稿の読取サイズの半分までの領域を含む画像を生成することを特徴とする。
【００１３】
本発明の請求項９に係る画像処理装置は、請求項１乃至８のいずれか１項に記載の構成において、前記生成部は、前記隣り合うページの一方が空白のページである場合、非空白領域を全て含む領域の画像を生成するとともに、前記見開き方向において前記空白のページが位置する側の端部から前記原稿の読取サイズの半分までの領域を含む画像を生成することを特徴とする。
【００１４】
本発明の請求項１０に係る画像処理装置は、請求項１乃至９のいずれか１項に記載の構成において、前記生成部は、前記隣り合うページを見開き状態にした原稿が非定型サイズである場合、前記ページ毎の画像のうちの一方に、他方の一部の画像が含まれるように前記ページ毎の画像を生成することを特徴とする。
【００１５】
本発明の請求項１１に係る画像処理装置は、請求項１乃至１０のいずれか１項に記載の構成において、前記生成部は、ユーザ操作により入力される情報を用いて、前記原稿が隣り合うページを見開き状態にした原稿であるかを判定することを特徴とする。
【００１６】
本発明の請求項１２に係るプログラムは、コンピュータに、原稿の画像を取得するステップと、前記原稿が、隣り合うページを見開き状態にした原稿である場合、前記原稿の見開き方向の両端部における空白領域の広さに基づいて、前記原稿の画像から前記ページ毎の画像を生成するステップとを実行させるためのプログラムであることを特徴とする。
【発明の効果】
【００１７】
請求項１及び１２に係る発明によれば、読み取った見開き原稿の画像をページ毎の画像に分割する際の、各ページに含まれるべき情報の欠落が抑制される。
請求項２に係る発明によれば、読み取った見開き原稿の画像をページ毎の画像に分割する際の、各ページに含まれるべき情報の欠落が抑制される。
請求項３に係る発明によれば、原稿の両端部における空白領域が狭い側のページにおける情報の欠落が抑制される。
請求項４に係る発明によれば、原稿の両端部における空白領域が広い側のページにおける情報の欠落が抑制される。
請求項５に係る発明によれば、原稿の両端部における空白領域の大きさが閾値未満であるページにおける情報の欠落が抑制される。
請求項６に係る発明によれば、原稿の両端部における空白領域の大きさが閾値以上であるページにおける情報の欠落が抑制される。
請求項７に係る発明によれば、原稿の両端部における空白領域の両方が広い場合における各ページの情報の欠落が抑制される。
請求項８に係る発明によれば、原稿の両端部における空白領域の両方が広い場合における各ページの情報の欠落が抑制される。
請求項９に係る発明によれば、空白ページを含む見開き原稿の画像をページ毎に分割する際の、各ページに含まれるべき情報の欠落が抑制される。
請求項１０に係る発明によれば、読み取った見開き原稿の画像をページ毎の画像に分割する際の、各ページに含まれるべき情報の欠落が抑制される。
請求項１１に係る発明によれば、読み取った見開き原稿の画像をページ毎の画像に分割する際の、各ページに含まれるべき情報の欠落が抑制される。
【図面の簡単な説明】
【００１８】
【図１】画像処理装置１０の機能構成を例示するブロック図。
【図２】画像処理装置１０のハードウェア構成を例示するブロック図。
【図３】ＵＩ部１０５に表示される画面を例示する図。
【図４】ＵＩ部１０５に表示される画面を例示する図。
【図５】画像処理装置１０が行う処理の流れを例示するフローチャート。
【図６】ＵＩ部１０５に表示される画面を例示する図。
【図７】ＵＩ部１０５に表示される画面を例示する図。
【図８】ＵＩ部１０５に表示される画面を例示する図。
【図９】読取画像を例示する図。
【図１０】読取画像を例示する図。
【図１１】読取画像を例示する図。
【図１２】読取画像を例示する図。
【図１３】ヒストグラムを模式的に例示する図。
【図１４】ヒストグラムを模式的に例示する図。
【図１５】ヒストグラムを模式的に例示する図。
【図１６】ヒストグラムを模式的に例示する図。
【図１７】分割画像の生成処理を説明するための図。
【図１８】生成された分割画像を例示する図。
【図１９】分割画像の生成処理を説明するための図。
【図２０】生成された分割画像を例示する図。
【図２１】分割画像の生成処理を説明するための図。
【図２２】生成された分割画像を例示する図。
【図２３】分割画像の生成処理を説明するための図。
【図２４】生成された分割画像を例示する図。
【図２５】従来の分割画像を例示する図。
【発明を実施するための形態】
【００１９】
１．構成
図１は、本実施形態に係る画像処理装置１０の機能構成を例示するブロック図である。画像処理装置１０は、コピー機能やスキャン機能を備えた装置であり、店舗、オフィス等に設置される。画像処理装置１０は、スキャン機能の一種としてページ連写機能を備える。ページ連写機能とは、見開き原稿をスキャンし、スキャンした画像をページ毎の画像に分ける機能をいう。この実施形態において、見開き原稿とは、隣り合うページを見開き状態にした原稿である。見開き原稿は例えば、複数枚の原稿が綴じられた冊子を開いた状態の原稿である。冊子の綴じ方としては例えば中綴じと平綴じがある。中綴じは、２つ折にした紙の折り目の部分を針金等で留める綴じ方をいう。平綴じは、例えば原稿の端から数ミリ程度を綴じ代として針金等で留める綴じ方をいう。
【００２０】
画像処理装置１０は、取得部１１及び生成部１２を備える。取得部１１は、原稿の画像を取得する。生成部１２は、取得部１１により取得された画像の原稿が、隣り合うページを見開き状態にした原稿である場合、原稿の見開き方向の両端部における空白領域の広さに基づいて、原稿の画像からページ毎の画像を生成する。この実施形態において、原稿の見開き方向とは、見開き原稿において隣り合うページの境界線に垂直又はほぼ垂直な方向をいう。また、空白領域とは、文字や画像が記されていない領域をいう。
【００２１】
図２は画像処理装置１０のハードウェア構成を例示する図である。プロセッサ１０１は、画像処理装置１０の他の要素を制御するプロセッサである。メモリ１０２は、プロセッサ１０１がプログラムを実行するためのワークエリアとして機能する記憶装置であり、例えばＲＡＭ（Random Access Memory）を含む。記憶装置１０３は各種のプログラム及びデータを記憶する記憶装置であり、例えば、ＳＳＤ（Solid State Drive）又はＨＤＤ（Hard Disk Drive）を含む。通信ＩＦ１０４は、予め定められた無線又は有線の通信規格（例えば、Ｗｉ−Ｆｉ（登録商標）、Ｂｌｕｅｔｏｏｔｈ（登録商標）、又はイーサネット（登録商標））に従って他の装置と通信を行う。
【００２２】
ＵＩ部１０５は例えばタッチスクリーンとキーとを備える。ＵＩ部１０５は画像処理装置１０に内蔵されていてもよく、また、外付けされて外部接続されるものであってもよい。画像形成部１０６は電子写真方式等により、給紙部１０９により搬送路に沿って搬送されてくる用紙等の媒体に画像を形成する。画像読取部１０７は、原稿（媒体）の画像を光学的に読み取る。画像処理部１０８は、例えばＤＳＰ（Digital Signal Processor）やＧＰＵ（Graphics Processing Unit）を備え、各種の画像処理を実行する。給紙部１０９は画像形成部１０６に用紙等の媒体を供給する。給紙部１０９は、プロセッサ１０１の制御の下に媒体の搬送速度を変更する。画像処理装置１０は、印刷処理の実行中に媒体の搬送速度を変更する機能を備える。
【００２３】
この例で、メモリ１０２又は記憶装置１０３に記憶されているプログラムを、プロセッサ１０１が実行することにより、図２に示される機能が実装される。プログラムを実行しているプロセッサ１０１は、取得部１１及び生成部１２の一例である。
【００２４】
２．動作
次いで、この実施形態において見開き原稿が読み取られる場合の動作を説明する。まず、ユーザは、画像処理装置１０のＵＩ部１０５を用いて、画像読取を行うための操作を行う。
【００２５】
図３は、ＵＩ部１０５に表示される画面を例示した図である。図３の例では、ＵＩ部１０５には、画像処理装置１０が提供するサービスを選択するための画面Ｇ１が表示される。画面ＳＣ１には、「スキャン」、「コピー」及び「ファックス」のボタンが表示される。画面ＳＣ１においてユーザにより「スキャン」のボタンが選択されると、この選択を受け、画像処理装置１０はスキャン処理に関する設定画面をＵＩ部１０５に表示する。
【００２６】
図４は、ＵＩ部１０５に表示される設定画面ＳＣ２を例示した図である。設定画面ＳＣ２には、「ページ連写（定型サイズ）」、「ページ連写（非定型サイズ）」、「ミックス原稿」及び「枠消し」のボタンが表示される。設定画面ＳＣ２においてユーザにより「ページ連写（非定型サイズ）」のボタンが選択されると、この選択を受け、画像処理装置１０は見開き原稿のページ毎の画像（以下「分割画像」という）の生成処理を実行する。すなわち、画像処理装置１０は、ユーザ操作により入力される情報を用いて、読取対象である原稿が見開き原稿であるかを判定する。
【００２７】
図５は、画像処理装置１０が行う処理の流れを例示するフローチャートである。図５に示される処理は、設定画面ＳＣ２においてユーザにより「ページ連写（非定型サイズ）」が選択されることをトリガとして開始される。まず、ステップＳ１０１において、画像処理装置１０はユーザによるＵＩ部１０５の操作内容に応じて、「ページ連写（非定型サイズ）」を選択する。また、ステップＳ１０２乃至Ｓ１０４において、ページ連写処理に係る各種の設定処理を行う。まず、ステップＳ１０２において、画像処理装置１０は読み取りサイズを選択するための処理を実行する。この実施形態では、画像処理装置１０は、読み取りサイズをユーザに指定させるための画面をＵＩ部１０５に表示する。
【００２８】
図６は、読取サイズの指定画面ＳＣ３を例示した図である。指定画面ＳＣ３には、「Ａ３」、「Ｂ４」、「Ａ４」、及び「Ｂ５」等のボタンが表示される。ユーザはいずれかのサイズを選択し、画像処理装置１０は、ユーザの操作内容に応じたサイズを選択する。
【００２９】
図５の説明に戻る。ステップＳ１０３において、画像処理装置１０はユーザによる操作内容に応じて見開き原稿の綴じ方（右綴じ／左綴じ）を選択する。ステップＳ１０４において、画像処理装置１０はユーザによる操作内容に応じて横書き／縦書きの指定を行う。
【００３０】
図７は、縦書き／横書きの指定画面ＳＣ４を例示した図である。指定画面ＳＣ４には「横書き」及び「縦書き」のボタンが表示される。ユーザは自身が所望する分割方法を選択する。画像処理装置１０は、ユーザの操作内容に応じて縦書きと横書きのいずれかを選択する。
【００３１】
図５の説明に戻る。ステップＳ１０５において、画像処理装置１０は、読取対象である原稿を画像処理装置１０にセットする旨をユーザに指示する。この指示は、例えば、「左上の隅に合わせて原稿をセットしてください」といったメッセージの表示又は音声出力であってもよい。
【００３２】
図８は、ステップＳ１０５においてＵＩ部１０５に表示される画面ＳＣ５を例示した図である。図において、画面には、「原稿を左上にあわせてセットしてください」といったメッセージ、及び「セットが終了したら、ＯＫボタンを押してください」といったメッセージが表示されるとともに、「スタート」、「次原稿あり」、「次原稿なし」、及び「キャンセル」のボタンが表示される。ユーザは画面ＳＣ５を参照し、原稿を画像読取部１０７にセットし、「スタート」のボタンを選択する。
【００３３】
図５の説明に戻る。ユーザにより「スタート」ボタンが選択されると、画像処理装置１０はステップＳ１０６の処理に進む。ステップＳ１０６において、画像処理装置１０は、スキャン処理を実行し、原稿の画像を取得する。この実施形態では、画像処理装置１０は、セットされた原稿の画像を読み取って原稿のサイズを特定するとともに、読み取られた画像に対し自動正立／傾き補正等の各種の補正処理を実施する。
【００３４】
図９乃至図１２は、読み取られた見開き原稿の画像（読取画像）を例示する図である。これらの例では、読み取られた見開き原稿の見開き方向をＸ軸方向とし、見開き方向に垂直な方向をＹ軸方向としている。図９乃至図１２は、Ａ３サイズ、３００ｄｐｉでスキャンされた場合の読取画像の例であり、読取画像のＸ軸方向のピクセル数は４９６１であり、Ｙ軸方向のピクセル数は３５０８である。図９乃至図１２の例では、見開き原稿のＸ軸方向の長さがＡ３サイズのＸ軸方向の長さよりも短い。そのため、読取画像のＸ軸方向の両端部の少なくともいずれか一方に、空白領域が生じている。
【００３５】
図９は、非定型サイズの見開き原稿の角部Ｃ１１が画像読取部１０７の基準位置ＲＰに合わせてセットされた場合の読取画像の一例である。角部Ｃ１１が基準位置ＲＰに合わせられているため、生成された読取画像ＩＭＧ１１におけるＸ軸方向の両端部の空白領域ｓｐ１１，ｓｐ１２は、右側（Ｘ軸正方向側）の空白領域ｓｐ１２よりも左側（Ｘ軸負方向側）の空白領域ｓｐ１１のほうが大きくなっている。なお、この実施形態において、Ｘ軸方向の両端部の空白領域とは、読取画像のＸ軸方向の両端部に含まれる矩形領域であって、そのＹ軸方向の長さが読取画像のＹ軸方向の長さと等しく、そのＸ軸方向の端部が読取画像のＸ軸方向の端部の位置と同じである矩形領域をいう。図９の例では、空白領域ｓｐ１１、ｓｐ１２が、Ｘ軸方向の両端部の空白領域である。
【００３６】
図１０は、非定型サイズの見開き原稿の角部Ｃ１２が画像読取部１０７の基準位置ＲＰに合わせられずに画像読取が行われた場合の読取画像の一例である。図１０の例では、生成された読取画像ＩＭＧ１２のＸ軸方向の両端部の空白領域は、左側よりも右側のほうが大きくなっている。
【００３７】
図１１は、見開き原稿に含まれる２つのページのうち一方のページが白紙である場合の読取画像の一例である。図１１の例では、読取画像ＩＭＧ１３におけるＸ軸方向の両端部の空白領域は、左側よりも右側のほうが大きい。
【００３８】
図１２は、見開き原稿に含まれる２つのページのうち、一方のページに白紙領域が多い場合の読取画像の一例である。図１２の例では、原稿の角部Ｃ４１が画像読取部１０７の基準位置ＲＰに合わせてセットされているが、右ページに空白領域が大きいため、生成された読取画像ＩＭＧ４１におけるＸ軸方向の両端部の空白領域は、左側（Ｘ軸正方向側）よりも右側（Ｘ軸負方向側）のほうが大きくなっている。
【００３９】
図５の説明に戻る。画像処理装置１０は、読み取った原稿が見開き原稿である場合、ステップＳ１０７乃至ステップＳ１０９の処理を行うことにより、原稿の見開き方向の両端部における空白領域の広さに基づいて、原稿の読取画像からページ毎の分割画像を生成する。この実施形態では、画像処理装置１０は、読取画像の一部を抽出してページ毎の分割画像を生成する。この際、画像処理装置１０は、ページ毎の分割画像を抽出する際の見開き方向における切出位置を、各ページが位置する側の空白領域の広さによって異ならせる。この実施形態において、切出位置とは、抽出される分割画像の端部の位置をいう。ここでは、見開き方向の切出位置が空白領域の広さによって異なり、見開き方向に垂直な方向の切出位置が空白領域の広さによらず一定である例を説明する。
【００４０】
具体的には、まず、ステップＳ１０７において、画像処理装置１０は、読み取られた見開き原稿の見開き方向をＸ軸とした場合の、Ｘ軸方向における画像の両端の空白部分を特定する。空白領域の特定は、例えばヒストグラムを生成することにより行われる。この実施形態では、画像処理装置１０は、二値化処理を実施し、クロップした画像に対して、Ｘ方向の点数をカウントしてヒストグラムを生成する。
【００４１】
図１３乃至図１６は、ステップＳ１０７で生成されるヒストグラムを模式的に例示した図である。図１３乃至図１６に示されるヒストグラムはそれぞれ、図９乃至図１２の読取画像のそれぞれに対応している。図１３乃至図１６において、横軸は読取原稿のＸ軸を示し、縦軸は黒点数を示す。
【００４２】
図５の説明に戻る。ステップＳ１０８において、画像処理装置１０は、読み取られた原稿の全面が白紙であるか（すなわち見開き原稿に含まれる２つのページの両方が白紙であるか）を判定する。全面が白紙であるかの判定方法としては、例えば、ステップＳ１０７で生成されたヒストグラムの点数が全ての領域において予め定められた閾値以下である場合に、全面白紙であると判定されてもよい。全面が白紙である場合（ステップＳ１０８；ＹＥＳ）、画像処理装置１０はステップＳ１０９の処理に進む。一方、全面が白紙でない場合（ステップＳ１１１；ＮＯ）、画像処理装置１０はステップＳ１１１の処理に進む。
【００４３】
ステップＳ１０９において、画像処理装置１０は読取画像を中央で分割することにより、ページ毎の分割画像を生成する。すなわち、読取原稿が全面白紙である場合、見開き方向における分割画像の切出位置は、Ｘ軸方向における読取画像の端部の位置と、読取画像のＸ軸方向における中央位置となる。ステップＳ１０９の処理を終えると、画像処理装置１０はステップＳ１１０の処理に進む。
【００４４】
ステップＳ１１０において、画像処理装置１０は読み取られた原稿が最終ページであるかを判定する。この判定は、例えば、最終ページであるかをユーザに選択させる画面をＵＩ部１０５に表示させてユーザに選択させることにより判定されてもよい。最終ページである場合（ステップＳ１１０；ＹＥＳ）、画像処理装置１０は処理を終了する。一方、最終ページでない場合（ステップＳ１１０；ＮＯ）、画像処理装置１０はステップＳ１０６の処理に戻り、次のページについてのスキャン処理を行う。
【００４５】
ステップＳ１１１において、画像処理装置１０は、原稿画像の半面が白紙であるかを判定する。この判定は、例えば、ステップＳ１０７で生成されたヒストグラムの点数が予め定められた閾値以下である領域の広さが、予め定められた閾値以上（例えば、読取サイズの半分以上、等）である場合、半面が白紙であると判定されてもよい。半面が白紙であると判定された場合（ステップＳ１１１；ＹＥＳ）、画像処理装置１０はステップＳ１１２の処理に進む。一方、半面が白紙でない場合、すなわち左右の両方の面がいずれも白紙でない場合（ステップＳ１１１；ＮＯ）、画像処理装置１０はステップＳ１１３の処理に進む。
【００４６】
ステップＳ１１３において、画像処理装置１０は、両端の２つの白紙領域のうち、狭い方の白紙領域の幅が充分狭いかを判定する。この判定は、例えば、狭い方の白紙領域の幅が予め定められた閾値（例えば、スキャンサイズの１／８）以下であるか否かを判定することにより行われる。狭い方の白紙領域の幅が充分狭い場合（ステップＳ１１３；ＹＥＳ）、画像処理装置１０はステップＳ１１４の処理に進む。一方、狭い方の白紙領域の幅が充分に狭くない場合（ステップＳ１１３；ＮＯ）、画像処理装置１０はステップＳ１１５の処理に進む。
【００４７】
ステップＳ１１４において、画像処理装置１０は、左ページと右ページのそれぞれのページの分割画像を生成する。このとき、画像処理装置１０は、空白領域が広い側のページと狭い側のページとでそれぞれ異なる処理を行う。空白の領域の狭い方については、画像処理装置１０は、その空白領域の全てを含む画像を、ページ毎の分割画像として生成する。すなわち、空白領域が狭い側のページについては、見開き方向における分割画像の切出位置は、Ｘ軸方向における読取画像の端部の位置と、その位置からＸ軸方向において読取画像の半分の長さだけ離れた位置とされる。
【００４８】
一方、空白領域が広い方のページについては、画像処理装置１０は、両端部における空白領域のうちの広い方の空白領域の一部又は全部が含まれない画像を、広い方の空白領域が位置する側のページの画像として生成する。すなわち、この例では、空白領域が広い側のページについては、見開き方向における分割画像の切出位置は、その空白領域のＸ軸方向における途中の位置と、その位置からＸ軸方向において読取画像の半分の長さだけ離れた位置とされる。空白領域のＸ軸方向における途中の位置とは、例えば、Ｘ軸方向においてその空白領域に含まれる位置であって読取画像の端部の位置から予め定められた長さだけ離れた位置である。
【００４９】
図１７は、ステップＳ１１４における分割画像の生成処理を説明するための図であり、図１８は、生成される分割画像を例示した図である。図１７および図１８の例は、図９に例示された読取画像に対応している。図１７の例では、図１３に示されるヒストグラムによりＸ軸方向の両端に空白領域があり、また、空白ページは含まれないことがステップＳ１０７乃至Ｓ１１１の処理により判定される。また、図１７の例では、２つの空白領域ｓｐ１１、ｓｐ１２のうち、狭い方の空白領域ｓｐ１２の幅が充分に狭い（例えば、スキャンサイズの１／８以下、等）と判定される。
【００５０】
この場合、狭い方の空白領域ｓｐ１２がある側のページの分割画像として、読取画像の端部からスキャンサイズ（Ａ３サイズ）の半分の領域の画像ＩＭＧ１３１（図１８参照）が生成される。すなわち、空白領域が狭い側のページの分割画像として、狭い方の空白領域を全て含む分割画像が生成される。これは、原稿は通常、画像読取部１０７の原稿の設置部の左端（基準位置）にあわせてセットされているはずなので、狭い方（通常は右側）は端からクロップすればよいためである。なお、安全をとってマージンが設けられてもよい。
【００５１】
一方、広い方の空白領域ｓｐ１１がある側のページの分割画像として、予め定められた幅のマージンｍ１がとられ、マージンｍ１の端からスキャンサイズ（Ａ３サイズ）の半分の領域の画像がクロップされる。すなわち、空白領域が広い側のページの分割画像には、広い方の空白領域の全部が含まれない（一部が含まれてもよい）。
【００５２】
ステップＳ１１４の処理を終えると、画像処理装置１０はステップＳ１１０の処理に進む。
【００５３】
このように、この実施形態では、読取サイズ（Ａ３サイズ）の半分のサイズの分割画像が２つ生成される。読取画像の中央部分は両方のページの分割画像に重複して含まれる（図１８参照）。図１８の例では、それぞれの分割画像で情報欠落が発生することがない。
【００５４】
図１９は、ステップＳ１１４における他の分割画像の生成処理を説明するための図であり、図２０は生成される分割画像を例示した図である。図１７および図１８の例は、図１０に例示された読取画像に対応している。図１９の例では、図１４に示されるヒストグラムにより、Ｘ軸方向の両端に空白領域があり、また、空白ページは含まれないことがステップＳ１０７乃至Ｓ１１１の処理により判定される。また、図１９の例では、２つの空白領域ｓｐ２１、ｓｐ２２のうち、狭い方の空白領域ｓｐ２１は充分に狭い（例えば、スキャンサイズの１／８以下、等）と判定される。
【００５５】
この場合、狭い方の空白領域ｓｐ２１がある側のページの分割画像として、読取画像の端部からスキャンサイズ（Ａ３サイズ）の半分の領域の画像がクロップされる。一方、広い方の空白領域ｓｐ１２がある側のページの分割画像として、予め定められた量のマージンｍ１がとられ、マージンｍ１の端からスキャンサイズ（Ａ３サイズ）の半分の領域の画像がクロップされる。
【００５６】
図２０の例では、読取サイズ（Ａ３サイズ）の半分のサイズの分割画像が２つ生成され、読取画像の中央部分は両方のページの分割画像に重複して含まれる。そのため、それぞれのページで情報欠落が発生することがない。
【００５７】
図５の説明に戻る。読取画像の両端部の空白領域の少なくともいずれか一方の幅が広いと判定された場合、ステップＳ１１５の処理により分割画像の生成処理が行われる。ステップＳ１１５において、画像処理装置１０は、左ページと右ページのそれぞれのページの分割画像を生成する。このとき、画像処理装置１０は、左ページと右ページとでそれぞれ異なる処理を実行する。この実施形態では、画像処理装置１０は、両端部における全ての空白領域の広さが予め定められた閾値以上である場合、見開き方向において両端部における予め定められた一方の端部から予め定められた幅の領域を含まない画像を、その一方の端部が位置する側のページの画像として生成する。すなわち、画像処理装置１０は、左端はマージンを取って端からスキャンサイズの半分の領域をクロップする。この場合、見開き方向における分割画像の切出位置は、Ｘ軸方向における読取画像の端部から予め定められた幅だけ離れた位置と、その位置からＸ軸方向において読取画像の半分の長さだけ離れた位置とされる。
【００５８】
また、画像処理装置１０は、反対側の端部から読取画像の読取サイズの半分までの領域を含む画像を生成する。すなわち、画像処理装置１０は、右端からスキャンサイズの半分の領域をクロップする。この場合、見開き方向における分割画像の切出位置は、Ｘ軸方向における読取画像の端部の位置と、その位置からＸ軸方向において読取画像の半分の長さだけ離れた位置とされる。ステップＳ１１５の処理を終えると、画像処理装置１０はステップＳ１１０の処理に進む。
【００５９】
図２１は、分割画像の生成処理を説明するための図であり、図２２は生成された分割画像を例示する図である。図２１および図２２の例は、図１２に例示された読取画像に対応している。この例では、ヒストグラム（図１６）から、Ｘ軸方向の両端に空白領域があり、また、空白ページが含まれないことがステップＳ１０７乃至Ｓ１１１の処理により判定される。また、図２１の例では、２つの空白領域ｓｐ３１、ｓｐ３２のうち、狭い方の空白領域ｓｐ３１が充分に狭くないと判定される。
【００６０】
この場合、原稿が基準位置にあわせてセットされたかそうでないかは判定できない。この実施形態では、基準位置にあわせて原稿がセットされたものとして処理が行われる。すなわち、空白領域ｓｐ３２がある側のページの分割画像として、読取画像の端部からスキャンサイズ（Ａ３サイズ）の半分の領域の画像が生成される。一方、空白領域ｓｐ３１がある側のページの分割画像として、予め定められた幅のマージンｍ１がとられ、マージンｍ１の端からスキャンサイズ（Ａ３サイズ）の半分の領域の画像がクロップされる。
【００６１】
なお、図２２に例示される分割画像の場合、両方の分割画像に重複する部分が含まれる場合があるが、それぞれの分割画像で情報欠落がなく、各ページに必要な情報が全て含まれている。
【００６２】
図５の説明に戻る。見開き原稿に含まれるページの一方が白紙である場合、ステップＳ１１２において分割画像の生成処理が行われる。ステップＳ１１２において、画像処理装置１０は、左ページと右ページのそれぞれのページの分割画像を生成する。この実施形態では、画像処理装置１０は、まず、空白でないページ側の分割画像として、非白紙領域を全て含むように、スキャンサイズの半分の領域をクロップする。この場合、見開き方向における分割画像の切出位置は、Ｘ軸方向において非白紙領域が含まれる領域であってＸ軸方向において読取画像の半分の長さを有する領域の両端部の位置とされる。また、空白のページ側については、画像処理装置１０は、端部からスキャンサイズの半分の領域をクロップする。この場合、見開き方向における分割画像の切出位置は、Ｘ軸方向における読取画像の端部の位置と、その位置からＸ軸方向において読取画像の半分の長さだけ離れた位置とされる。
【００６３】
図２３は、分割画像の生成処理を説明するための図であり、図２４は、生成された分割画像を例示する図である。図２３および図２４の例は、図１１に例示された読取画像に対応している。この例では、ヒストグラム（図１５）から、Ｘ軸方向の両端に空白領域があり、右側が空白ページである（すなわち、２つの空白領域のうちのひとつの空白領域ｓｐ４２が、スキャンサイズの半分以上である）と判定される。この場合、空白でないページ側の端部から非白紙領域を全て含むように、スキャンサイズの半分の領域がクロップされる。また、空白ページ側は、端点からスキャンサイズの半分の領域がクロップされる（図２４参照）。このように、隣り合うページの一方が空白のページである場合、画像処理装置１０は、非空白領域を全て含む領域の画像を生成するとともに、見開き方向において空白のページが位置する側の端部から原稿の読取サイズの半分までの領域を含む画像を生成する。
【００６４】
ステップＳ１１２の処理を終えると、画像処理装置１０は、ステップＳ１１０の処理に進む。
【００６５】
図１８、図２０、図２２、及び図２４に示されるように、この実施形態では、画像処理装置１０は、見開き原稿が非定型サイズである場合、ページ毎の分割画像のうちの一方に、他方の一部の画像が含まれるようにページ毎の分割画像を生成する。
【００６６】
ところで、従来の装置では、見開き原稿の画像をページ毎の画像に分割する場合、読み取られた原稿の画像の真ん中で分断して２つの画像に分ける、といった手法が用いられていた。この場合、読み取る対象である原稿が非定型の原稿である場合、読み取られた原稿の真ん中で分断すると、文字のある部分で分割されてしまう。
【００６７】
図２５は見開き原稿が分断された状態を例示する図である。図２５の（ａ）は分割される前の見開き原稿を例示する図であり、（ｂ）は分割された状態を例示する図である。この例では、実際の原稿サイズＳ１１が、Ｘ軸方向がＡ３より少し短い非定型サイズであるものの、スキャンにより出力されるサイズがＡ３である場合が例示されている。この場合、読み取られたサイズのほうが出力サイズよりも小さいため、例えば読取画像を２等分すると、（ｂ）に示されるように、ページの途中で分断されてしまう場合がある。
【００６８】
また、読取画像の画素数や画像解析により見開きページの境界線を特定する手法が提案されている。しかしながら、例えば字が詰まりすぎている文書の場合は、空白領域が存在しないと判定されてしまい、また、空白領域が多い文書の場合は、空白領域が複数抽出されてしまい、分割するべき中央付近の空白領域が特定されない場合がある。
【００６９】
それに対しこの実施形態では、右ページと左ページの境界の位置を特定せずに見開き原稿が分割される。そのため、例えば字が詰まっている文書や、空白領域が多い文書であっても、情報欠落なく分割される。
【００７０】
３．変形例
上述した実施形態は、本発明の実施の一例に過ぎず、以下のように変形させてもよい。また、上述した実施形態及び以下に示す各変形例は、必要に応じて組み合わせて実施されてもよい。
【００７１】
（１）上述の実施形態では、画像処理装置１０は、画像読取部１０７に原稿の画像を読み取らせることにより、原稿の画像を取得した。画像処理装置１０が原稿を取得する方法は、上述した実施形態で示したものに限られない。例えば、画像処理装置１０が他の装置から画像データを受信することにより、画像を取得してもよい。
【００７２】
（２）上述の実施形態では、読取画像の空白領域の広さは、見開き方向における空白領域の幅により判定された。空白領域の広さの判定方法は上述した実施形態で示したものに限られない。例えば、画像処理装置１０が空白領域の面積を特定することにより判定されてもよい。
【００７３】
（３）上述の実施形態では、画像処理装置１０は、見開き原稿に含まれる２つのページについて、見開き方向における両端の空白領域の広い方と狭い方とで分割画像の切出位置を異ならせた。ページ毎の分割画像の生成方法は上述した実施形態で示したものに限られない。例えば、画像処理装置１０は、両端部に位置する空白領域の幅が予め定められた閾値未満であるか否かによって、分割画像の切出位置を異ならせてもよい。より具体的には、例えば、画像処理装置１０は、空白領域の大きさが予め定められた閾値未満の場合、見開き方向において空白領域が位置する側の原稿の画像の端部から原稿の読取サイズの半分までの領域を含む画像を分割画像として生成してもよい。
【００７４】
また、画像処理装置１０は、空白領域の大きさが予め定められた閾値以上の場合、見開き方向において空白領域が位置する側の原稿の画像の端部から予め定められた幅の領域を含まない画像を、その空白領域が位置する側のページの分割画像として生成してもよい。
【００７５】
（４）上述の実施形態では、画像処理装置１０は、見開き原稿が非定型サイズである場合、ページ毎の分割画像のうちの一方に他方の一部の画像が含まれるようにページ毎の分割画像を生成した。分割画像の生成方法は上述した実施形態で示したものに限られない。ページ毎の分割画像は、読取画像の両端にある空白領域の広さに基づいて生成されるものであればよく、両方のページに含まれる重複部分が発生しない構成であってもよい。
【００７６】
（５）上述の実施形態では、読取画像から抽出される分割画像のＸ軸方向における切出位置の一例として、空白領域のＸ軸方向における途中の位置（読取画像の端部の位置からＸ軸方向において予め定められた長さだけ離れた位置）が用いられた。分割画像の抽出のために用いられる切出位置は上述した実施形態で示したものに限られない。例えば、切出位置は、或る２点（例えば、空白領域の一端と他端）を予め定められた比率に分割する位置であってもよい。
【００７７】
（６）画像処理装置１０が行う処理の順序は、上述した実施形態において説明された例に限定されない。処理のステップは、矛盾が生じない限りにおいて、入れ替えられてもよい。また、本発明は、画像処理装置１０において行われる画像処理方法として提供されてもよい。
【００７８】
（７）上述の実施形態において、画像処理装置１０のプロセッサ１０１により実行されるプログラムは、インターネットなどの通信回線を介してダウンロードされてもよい。また、これらのプログラムは、磁気記録媒体（磁気テープ、磁気ディスクなど）、光記録媒体（光ディスクなど）、光磁気記録媒体、半導体メモリなどの、コンピュータが読取可能な記録媒体に記録した状態で提供されてもよい。
【符号の説明】
【００７９】
１０…画像処理装置、１１…取得部、１２…生成部、１０１…プロセッサ、１０２…メモリ、１０３…記憶装置、１０４…通信ＩＦ、１０５…ＵＩ部、１０６…画像形成部、１０７…画像読取部、１０８…画像処理部、１０９…給紙部。
【図１】
2020127106.tif 000003
【図２】
2020127106.tif 000004
【図３】
2020127106.tif 000005
【図４】
2020127106.tif 000006
【図５】
2020127106.tif 000007
【図６】
2020127106.tif 000008
【図７】
2020127106.tif 000009
【図８】
2020127106.tif 000010
【図９】
2020127106.tif 000011
【図１０】
2020127106.tif 000012
【図１１】
2020127106.tif 000013
【図１２】
2020127106.tif 000014
【図１３】
2020127106.tif 000015
【図１４】
2020127106.tif 000016
【図１５】
2020127106.tif 000017
【図１６】
2020127106.tif 000018
【図１７】
2020127106.tif 000019
【図１８】
2020127106.tif 000020
【図１９】
2020127106.tif 000021
【図２０】
2020127106.tif 000022
【図２１】
2020127106.tif 000023
【図２２】
2020127106.tif 000024
【図２３】
2020127106.tif 000025
【図２４】
2020127106.tif 000026
【図２５】
2020127106.tif 000027